(57)【要約】【課題】ボルト孔へ仮挿入したボルトへの打撃とナットの締め付けが１本の工具で可能であり、工具ベルトから他の工具を引き出して交換する必要がなく、きわめて能率のよい作業を行うことができるラチェットレンチを提供する。【解決手段】把持部である柄と、柄の頭部に開口したソケット孔と、円筒体の外周にギヤを形成し、内部に角穴を形成したソケット、先端につめを形成した切り替えレバーとより構成する。ソケット孔内にはソケットを嵌合してあり、切り替えレバーのつめがソケットのギヤに契合するように配置してある。さらに柄の頭部の側面には、平面状の打撃面を形成する。【選択図】図１
0003147162.tif 000002
【実用新案登録請求の範囲】
【請求項１】
把持部である柄と、
柄の頭部に開口したソケット孔と
円筒体の外周にギヤを形成し、内部に角穴を形成したソケットと、
先端につめを形成した切り替えレバーとより構成し、
ソケット孔内にはソケットを嵌合してあり、
切り替えレバーのつめがソケットのギヤに係合するように配置してあるラチェットレンチであって、
柄の頭部の側面には、平面状の打撃面５を形成した、  
ラチェットレンチ。
【考案の詳細な説明】
【技術分野】
【０００１】
本考案はラチェットレンチに関するものである。
【背景技術】
【０００２】
ラチェットレンチは、把持部である柄の往復動が、ラチェットレンチ頭部に回転自在に嵌合したソケットの一方のみへの回転として伝達される工具である。
そのためにいったんボルトやナットに嵌合すると、柄の一方向への運動だけでボルトやナットを締め付けたり、解体できるという特徴がある。
【特許文献１】実用新案登録第３０８９０６２号公報。
【考案の開示】
【考案が解決しようとする課題】
【０００３】
前記した従来のラチェットレンチを現場で使用するにあたっては、次のような問題点がある。
＜イ＞  建築足場のパイプや、柱と梁の鋼材の組み立てなどでは、ボルト穴の一方からボルトを挿入し、その先端を露出させ、その部分にナットを取り付けてラチェットレンチで締め付ける作業を行う。
＜ロ＞  ところが、このボルトの仮挿入の際に、指先で穴に挿入したボルトがわずかにでも傾いていると、途中でひっかかって、スムーズにボルトの先端が穴の他端から露出しない場合がある。
＜ハ＞  そのようなときにはハンマーでボルトの頭部を軽く叩いてやると簡単に姿勢を修正してその先端を露出させることができる。
＜ニ＞  そのために作業員は、ボルトナットの締め付けのためのラチェットレンチとは別にハンマーを携行し、繰り返して持ち替えたり、腰の工具ベルトへ戻したり、取り出してりするという作業が必要となる。
＜ホ＞  そのようなわずらわしい工具の扱いのために、肝心のパイプや鋼材の組み立て作業の能率が低下してしまう。
＜ヘ＞  さらに工具の持ち替えや、工具ベルトへの戻し、取り出しの途中で落下させる危険性も増え、高所作業での安全性に問題が生じる。
＜ト＞  また作業員としてもできるだけ軽装で作業をすべきであり、ラチェットレンチとハンマーを別々に工具ベルトに装着して移動することは非効率的である。
【課題を解決するための手段】
【０００４】
上記のような従来の装置の課題を解決した本考案のラチェットレンチは、把持部である柄と、柄の頭部に開口したソケット孔と、円筒体の外周にギヤを形成し、内部に角穴を形成したソケットと、先端につめを形成した切り替えレバーとより構成し、ソケット孔内にはソケットを嵌合してあり、切り替えレバーのつめがソケットのギヤに係合するように配置してあるラチェットレンチであって、柄の頭部の側面には、平面状の打撃面を形成したことを特徴としたものである。
【考案の効果】
【０００５】
本考案のラチェットレンチは以上説明したようになるから次のような効果を得ることができる。
＜１＞  ラチェットレンチとハンマーが一体となっているので、ボルトがせってスムーズにボルト穴を貫通しない場合に、ラチェットレンチの打撃面で軽く打撃して先端を露出させ、その後に同じラチェットレンチを使ってナットを締め付けることができる。
＜２＞  このように、仮挿入したボルトへの打撃とナットの締め付けが本考案のラチェットレンチ１本で可能であるから、そのたびに工具ベルトから他の工具を引き出して交換する必要がなく、きわめて能率のよい作業を行うことができる。
＜３＞  工具ベルトからの工具の取り出し、装着の機会が減るから、高所作業においても、工具落下の危険性が大幅に減少する。
＜４＞  作業員にとっても、２本の工具の運搬が１本ですむから、その分だけ軽装で作業に取り組むことができ、能率のよい作業を行うことができる。
【考案を実施するための最良の形態】
【０００６】
以下図面を参照しながら本考案のラチェットレンチの実施例を説明する。
【実施例】
【０００７】
＜１＞全体の構成。
本考案のラチェットレンチは、把持部である柄１と、柄１の頭部に開口したソケット孔２とによって構成する。
【０００８】
＜２＞柄。
柄１は、ラチェットレンチを把持して往復動を与える部分である。
ただし往復動を与えるだけではなく、柄１の先端の石突部１１はとがっており、２つの部材、たとえば柱部材と梁部材のボルト穴とボルト穴に石突部１１を挿入してこじることによって２部材のボルト穴の中心を一致させる作業を行う。
その際にたとえば重量物であるＨ鋼の床材を吊った状態で、Ｈ鋼の柱に取り付けるような場合には、きわめて短時間の内にボルト穴の一致と、ボルト仮挿入を行わなければならない。
したがってそのような場合に、工具を交換しているような時間をとることは困難である。
【０００９】
＜３＞ソケット。
ソケット３は、円筒体の外周にギヤ３１を形成し、内部に角穴３２を形成した筒体である。
このソケット３を、柄１の先端の頭部に開口したソケット孔２の内部に回転自在に嵌合する。
この角穴３２にボルト頭部、あるいはナットを嵌合して回転を与えるものである。
【００１０】
＜４＞切り替えレバー。
ソケット３のギヤ３１に一方向への回転を与えるために、切り替えレバーを配置する。
この切り替えレバーは、先端につめ４を形成した部材である。
この切り替えレバーを、レバー孔４１から挿入する。
レバー孔４１の一部は、ソケット孔２に開放してあるので、切り替えレバーの先端のつめ４は、ソケット３のギア３１に接触して係合する。
切り替えレバーは往復動可能であるように、中心部にピン４３を貫通させて取りつける。
【００１１】
＜５＞打撃面。
以上の構成はすでに市販されているラチェットレンチの構造であるが、本考案のラチェットレンチでは特に柄１の頭部の側面に、打撃面５を形成する。
元来、ラチェットレンチの頭部はソケット孔２が円形の穴であることから、全体にほぼ円柱状のブロックより形成してある。
したがってその側面も全体に曲面の連続であるが、その一部に、多少の高さを有して盛り上がった状態の平面部分を、打撃面５として構成する。
この打撃面５は、小面積の平面部であるが、ここで締め付け対象物であるボルトの頭部を軽く叩いてボルト孔への挿入姿勢を修正するには、十分の面積を備えている。
なお、前記したようにラチェットレンチの頭部の側面からは、切り替えレバーのつめ４も露出していて、そのつめ４を押してソケット３の回転方向の切り替えを行う構造となっている。
そのためには、打撃面５は、全体にラチェットレンチの頭部の側面から多少の高さだけ突出させる。
そうすれば切り替えレバーのつめ４によって対象物を打撃するようなことのない。
【００１２】
＜６＞使用方法。
本考案のラチェットレンチを使用する場合には、従来のようにラチェットレンチとハンマーを別々に腰の工具ベルトに収めておく必要はない。
ラチェットレンチのみを工具ベルトに収めて作業をすればよい。
そして、現場でボルト孔へのボルトの仮挿入が不十分であった場合に、ラチェットレンチの打撃面５を使用して軽く打撃を与えてボルトの姿勢を修正して他端からボルトの先端を露出させる。
その露出端にナットをねじ込み、その後に同じラチェットレンチを使用してボルト、あるいはナットに回転を与えて所定のトルクにいたるまで締め付け作業を行う。
このようにボルトの挿入から締結にいたるまで、ラチェットレンチとハンマーを交換する必要がなく、１本のラチェットレンチのみで打撃と締め付けを行うことができるから、効率のよい締結作業を行うことができる。
また工具の交換が不要であるから、高所から工具を落下させる、といった危険も排除される。
【図面の簡単な説明】
【００１３】
【図１】本考案のラチェットレンチの実施例の説明図。
【図２】その平面図。
【符号の説明】
【００１４】
１：柄
２：ソケット孔
３：ソケット
４：切り替えレバーのつめ
５：打撃面
【図１】
0003147162.tif 000003
【図２】
0003147162.tif 000004